(57)【要約】【課題】本発明は係止方向性を備えるスナップに関し、強い外力が雄スナップ材、または雌スナップ材に働いた場合に、雌スナップ材の係止孔に折角係合させた雄スナップ材の雄状突起の係止が一層外れないようになし、また、雄状突起の保持が確実になり、しかも、構造的な強度が確保され、さらには、構造簡単であり、生産効率が高くする。【解決手段】雌スナップ材６が、雄状突起４が挿入される挿入孔７が設けられ、挿入孔に隣接して雄状突起の移動方向Ｉの一端が開設された平面視横長であって係止部２の外径φ１より小径な幅Ｗ１をなすスライド係止孔５Ａが連設され、スライド係止孔の内縁ｎに沿ってＵ字状のクリップばね８が内装され、クリップばねには、頸部３よりも小径な間隙Ｋを介して対向される係止突部９,９がスライド係止孔の内域に臨まれて突設される。【選択図】図１
2010029440.tif 000002
【特許請求の範囲】
【請求項１】
膨出された部分よりなる係止部、及びこの係止部に続いて設けられた該係止部より小径の頸部よりなる雄状突起を有する雄スナップ材と、前記雄状突起が係入される係止孔を設けた雌スナップ材と、を備えたスナップにおいて、
（イ）前記雌スナップ材には、前記雄状突起が挿入される挿入孔が設けられ、
（ロ）前記挿入孔に隣接して前記雄状突起の移動方向の一端が開設された平面視横長であって前記係止部の外径より小径な幅をなすスライド係止孔が連設され、
（ハ）前記スライド係止孔の内縁に沿ってＵ字状のクリップばねが内装され、そして、
（ニ）前記クリップばねには、前記頸部よりも小径な間隙を介して対向される係止突部が前記スライド係止孔の内域に僅かに臨まれて突設されている
ことを特徴とする係止方向性を備えるスナップ。
【請求項２】
前記クリップばねには、複数対の前記係止突部が長手方向に設置位置を違えて設けられていることを特徴とする請求項１に記載の係止方向性を備えるスナップ。
【請求項３】
前記スライド係止孔が、１個の前記挿入孔に対し雄スナップ材の移動方向が平面視直交されて縦横に２個設けられていることを特徴とする請求項１または２に記載の係止方向性を備えるスナップ。
【請求項４】
（ホ）前記雌スナップ材における内面部材には、前記挿入孔および前記スライド係止孔が設けられるとともに、
（ヘ）その外周には外縁部が設けられ、
（ト）前記内面部材に基板材が嵌入可能に設けられ、
（チ）前記基板材の内面には、前記クリップばねを押圧するばね押さえ部が設けられ、
（リ）前記基板材の外面にはリベットピンが突設され、
（ヌ）前記内面部材の前記外縁部が前記基板材にかしめられ、そして、
（ル）前記リベットピンと前記リベットピンの頭体とが前記リベットピンの先端にかしめられて、前記雌スナップ材における外面部材と前記雌スナップ材における前記内面部材とが結合されている
ことを特徴とする請求項１〜３の何れかに１項に記載の係止方向性を備えるスナップ。
【請求項５】
前記内面部材が、断面略皿状に形成されていることを特徴とする請求項４に記載の係止方向性を備えるスナップ。
【請求項６】
前記雄スナップ材における内面部材の一側の略中央には、前記雄状突起が設けられ、前記内面部材の他側には、取付板にピン体部を有する断面Ｔ状のかしめピンがかしめ固定可能に設けられ、前記雄スナップ材の外面部材の裏面中央には、かしめ凹部が設けられ、そして、前記内面部材と前記外面部材とが、前記かしめピンを前記かしめ凹部内にかしめ固定することにより、一体的に取付けられていることを特徴とする請求項１〜３の何れか１項に記載の係止方向性を備えるスナップ。
【請求項７】
前記外面部材が、断面略薄形伏椀状に形成されていることを特徴とする請求項６に記載の係止方向性を備えるスナップ。
【請求項８】
前記雌スナップ材が、平面視矩形に形成されることを特徴とする請求項１〜７の何れか１項に記載の係止方向性を備えるスナップ。
【請求項９】
前記雌スナップ材が、平面視十字形に形成されていることを特徴とする請求項１〜７の何れか１項に記載の係止方向性を備えるスナップ。
【請求項１０】
前記雄スナップ材が、平面丸形、または平面正方形に形成されていることを特徴とする請求項１〜９の何れか１項に記載の係止方向性を備えるスナップ。
【発明の詳細な説明】
【技術分野】
【０００１】
本発明は係止方向性を備えるスナップに関し、例えばシャツ、ジャケット、コート等の衣服、また、バッグ、ベルト、靴等の身回品に装着され、雌スナップ材の係止孔に対する雄スナップ材の雄状突起の係脱位置に係止方向性を有するとともに、雄状突起の保持に確実性が発揮され、さらには強度が高く、信頼性を向上させようとするものである。
【背景技術】
【０００２】
従来、衣服のような布地に装着されたり、またはバッグのような皮革製品に装着されるスナップは、一般的なものとして雄スナップ材と、雌スナップ材とからなり、雄スナップ材の一面に設けられた雄状突起を雌スナップ材の対向面に設けている係止孔内に係脱可能に係止されるものがあった（例えば特許文献１参照）。
【特許文献１】特開平９−２２４７１８号公報
【発明の開示】
【発明が解決しようとする課題】
【０００３】
しかしながら、特許文献１に記載の上記従来のスナップでは、雄スナップ材に設けられた雄状突起を雌スナップ材に設けられた係止孔内に係入するものであるが、雄状突起に対する保持が不十分で弱いので、強い外力が雄スナップ材、または雌スナップ材に働いた場合に、雌スナップ材の係止孔に折角係合させた雄スナップ材の雄状突起の係止が外れてしまうという欠点があった。
【０００４】
また、特許文献１に記載の上記従来のスナップでは、雄スナップ材に設けられた雄状突起と、雌スナップ材に設けられた係止孔との相互は、係止孔に対する雄状突起の挿入位置と、係脱位置とが、雄スナップ材、および雌スナップ材に対向して１個所に設けられているのにすぎないので、雄状突起を係止孔内に係入したり、または脱係させるという係脱操作を行うのに、１個所において雄状突起を係止孔内に係脱させものであり、係止孔に対する雄状突起の挿入位置と、係脱位置とを異にするという係脱操作に係止方向性を有するものではなかった。
【０００５】
本発明は、上記従来の欠点を解決し、即ち強い外力が雄スナップ材、または雌スナップ材に働いた場合に、雌スナップ材の係止孔に折角係合させた雄スナップ材の雄状突起の係止が一層外れないようになし、また、雄状突起の保持が確実になり、しかも、構造的な強度が確保され、さらには、構造簡単であり、生産効率が高いスナップを提供することを目的とする。
【課題を解決するための手段】
【０００６】
本発明の請求項１に記載の発明は、膨出された部分よりなる係止部、及びこの係止部に続いて設けられた該係止部より小径の頸部よりなる雄状突起を有する雄スナップ材と、前記雄状突起が係入される係止孔を設けた雌スナップ材と、を備えたスナップにおいて、
（イ）前記雌スナップ材には、前記雄状突起が挿入される挿入孔が設けられ、
（ロ）前記挿入孔に隣接して前記雄状突起の移動方向の一端が開設された平面視横長であって前記係止部の外径より小径な幅をなすスライド係止孔が連設され、
（ハ）前記スライド係止孔の内縁に沿ってＵ字状のクリップばねが内装され、そして、
（ニ）前記クリップばねには、前記頸部よりも小径な間隙を介して対向される係止突部が前記スライド係止孔の内域に僅かに臨まれて突設されている
ことを特徴とする。
【０００７】
また、本発明の請求項２に記載の発明は、請求項１において、前記クリップばねには、複数対の前記係止突部が長手方向に設置位置を違えて設けられていることを特徴とする。
【０００８】
また、本発明の請求項３に記載の発明は、請求項１または２おいて、前記スライド係止孔が、１個の前記挿入孔に対し雄スナップ材の移動方向が平面視直交されて縦横に２個設けられていることを特徴とする。
【０００９】
また、本発明の請求項４に記載の発明は、請求項１〜３の何れか１項において、（ホ）前記雌スナップ材における内面部材には、前記挿入孔および前記スライド係止孔が設けられるとともに、
（ヘ）その外周には外縁部が設けられ、
（ト）前記内面部材に基板材が嵌入可能に設けられ、
（チ）前記基板材の内面には、前記クリップばねを押圧するばね押さえ部が設けられ、
（リ）前記基板材の外面にはリベットピンが突設され、
（ヌ）前記内面部材の前記外縁部が前記基板材にかしめられ、そして、
（ル）前記リベットピンと前記リベットピンの頭体とが前記リベットピンの先端にかしめられて、前記雌スナップ材における外面部材と前記雌スナップ材における前記内面部材とが結合されている
ことを特徴とする。
【００１０】
また、本発明の請求項５に記載の発明は、請求項４において、前記内面部材が、断面略皿状に形成されていることを特徴とする。
【００１１】
また、本発明の請求項６に記載の発明は、請求項１〜３の何れか１項において、前記雄スナップ材における内面部材の一側の略中央には、前記雄状突起が設けられ、前記内面部材の他側には、取付板にピン体部を有する断面Ｔ状のかしめピンがかしめ固定可能に設けられ、前記雄スナップ材の外面部材の裏面中央には、かしめ凹部が設けられ、そして、前記内面部材と前記外面部材とが、前記かしめピンを前記かしめ凹部内にかしめ固定することにより、一体的に取付けられていることを特徴とする。
【００１２】
また、本発明の請求項７に記載の発明は、請求項６において、前記外面部材が、断面略薄形伏椀状に形成されていることを特徴とする。
【００１３】
また、本発明の請求項８に記載の発明は、請求項１,２、または１〜７の何れか１項において、前記雌スナップ材が、平面視矩形に形成されていることを特徴とする。
【００１４】
また、本発明の請求項９に記載の発明は、請求項１〜７の何れか１項において、前記雌スナップ材が、平面視十字形に形成されていることを特徴とする。
【００１５】
また、本発明の請求項１０に記載の発明は、請求項１〜９の何れか１項において、前記雄スナップ材が、平面丸形、または平面正方形に形成されていることを特徴とする。
【発明の効果】
【００１６】
本発明の請求項１に記載の発明によれば、膨出された部分よりなる係止部、及びこの係止部に続いて設けられた該係止部より小径の頸部よりなる雄状突起を有する雄スナップ材と、前記雄状突起が係入される係止孔を設けた雌スナップ材と、を備えたスナップにおいて、前記雌スナップ材には、前記雄状突起が挿入される挿入孔が設けられ、前記挿入孔に隣接して前記雄状突起の移動方向の一端が開設された平面視横長であって前記係止部の外径より小径な幅をなすスライド係止孔が連設され、前記スライド係止孔の内縁に沿ってＵ字状のクリップばねが内装され、そして、前記クリップばねには、前記頸部よりも小径な間隙を介して対向される係止突部が前記スライド係止孔の内域に僅かに臨まれて突設されているので、強い外力が雄スナップ材、または雌スナップ材に働いた場合に、雌スナップ材の係止孔に折角係合させた雄スナップ材の雄状突起の係止が一層外れないようになる。また、雄状突起の保持が確実になり、しかも、構造的な強度が確保され、さらには、構造簡単であり、生産効率が高く、製作および組付けが容易に行え、係止方向性を備える。
【００１７】
また、本発明の請求項２に記載の発明によれば、前記クリップばねには、複数対の前記係止突部が長手方向に設置位置を違えて設けられているので、雄状突起が雌スナップ材の係止孔内に係止位置を変更して係脱可能になり、また、雄スナップ材の保持がクリップばねにて弾性的に保持されて確実になり、構造的な強度が確保され、さらには、構造簡単であり、生産効率が高く、製作および組付けが容易に行え、係止方向性を備える。
【００１８】
また、本発明の請求項３に記載の発明によれば、前記スライド係止孔が、１個の前記挿入孔に対し雄スナップ材の移動方向が平面視直交されて縦横に２個設けられているので、平面視直交されるように縦横に２個設けられたスライド係止孔おいて雄スナップ材の係止方向性を選択してスライドさせることにより雄状突起は雌スナップ材のスライド係止孔内に係止位置を変更して係脱可能になる。また、雄スナップ材の保持がクリップばねにて弾性的に保持されて確実になり、構造的な強度が確保され、さらには、構造簡単であり、生産効率が高く、製作および組付けが容易に行え、係止方向性を備える。
【００１９】
また、本発明の請求項４に記載の発明によれば、前記雌スナップ材における内面部材には、前記挿入孔および前記スライド係止孔が設けられるとともに、その外周には外縁部が設けられ、前記内面部材に基板材が嵌入可能に設けられ、前記基板材の内面には、前記クリップばねを押圧するばね押さえ部が設けられ、前記基板材の外面にはリベットピンが突設され、前記内面部材の前記外縁部が前記基板材にかしめられ、そして、前記リベットピンと前記リベットピンの頭体とが前記リベットピンの先端にかしめられて、前記雌スナップ材における外面部材と前記雌スナップ材における前記内面部材とが結合されているので、内面部材内にクリップばねを収容し、内面部材に基板材を嵌入してその内面に設けられたばね押さえ部によりクリップばねを押圧し、内面部材の外縁部を基板材にかしめるとともにリベットピンと、リベットピンの先端にリベット頭体がかしめられることにより外面部材と前記内面部材とは結合され、雌スナップ材は構造簡単であり、生産効率が高く、製作および組付けは容易に行え、構造的な強度が確保される。また、クリップばねは、基板材の裏面のばね押さえ部によりガタツキなく、保持され、組み付けは簡単に行える。
【００２０】
また、本発明の請求項５に記載の発明によれば、前記内面部材が、断面略皿状に形成されているので、構造的な強度が確保され、製作および組付けが容易に行える。
【００２１】
また、本発明の請求項６に記載の発明によれば、前記雄スナップ材における内面部材の一側の略中央には、前記雄状突起が設けられ、前記内面部材の他側には、取付板にピン体部を有する断面Ｔ状のかしめピンがかしめ固定可能に設けられ、前記雄スナップ材の外面部材の裏面中央には、かしめ凹部が設けられ、そして、前記内面部材と前記外面部材とが、前記かしめピンを前記かしめ凹部内にかしめ固定することにより、一体的に取付けられているので、雄スナップ部材における内面部材と外面部材とはかしめ凹部内にかしめピンをかしめ固定することにより一体的に取付けられて補強され、構造的な強度が発揮される。このように、構造的な強度が発揮されるので、デザイン的にも薄形であり、変化のある仕上がりになる。
【００２２】
また、本発明の請求項７に記載の発明によれば、前記外面部材が、断面略薄形伏椀状に形成されているので、デザイン的に薄形であり、変化のある仕上がりになる。
【００２３】
また、本発明の請求項８に記載の発明によれば、前記雌スナップ材が、平面視矩形に形成されているので、デザイン的に薄形であり、変化のある仕上がりになる。
【００２４】
また、本発明の請求項９に記載の発明によれば、前記雌スナップ材が、平面視十字形に形成されているので、平面視直交されるように縦横に２個設けられたスライド係止孔おいて雄スナップ材を平面視十字形の２方向のうちから選択したスライド係止孔おいてスライドさせることにより雄状突起が雌スナップ材の係止孔内に係止位置を変更して係脱可能になる。
【００２５】
また、本発明の請求項１０に記載の発明によれば、前記雄スナップ材が、平面丸形、または平面正方形に形成されているので、デザイン的に薄形であり、変化のある仕上がりになる。
【発明を実施するための最良の形態】
【００２６】
以下、図面に従って本発明の実施の最良の形態により、本発明の詳細を説明する。
【００２７】
＜実施形態１＞
図１は本発明の係止方向性を備えるスナップの実施形態１を示す長手方向の断面図、図２は同じく平面図、図３は同じく斜視図、図４は同じく図２のＡ−Ａ断面図、図５は同じく外面部材を取除いて裏面側から見た斜視図、図６は同じく雄スナップ材の内面部材を示す断面図、図７は同じく平面図、図８は同じく下面図、図９は同じく雄状突起の外面部材を示す下面図、図１０は同じく断面図、図１１は同じく雌スナップ材の内面部材を示す平面図、図１２は同じく雌スナップ材の基板材を示す下面図である。
【００２８】
本実施形態１は、先端に設けた膨出された部分よりなる係止部２、及びこの係止部２に続いて設けられた係止部２より小径の頸部３よりなる雄状突起４を有する雄スナップ材１と、前記雄状突起４が係入される係止孔５を設けた雌スナップ材６と、を備えたスナップである点は、例えば特許文献１に記載の従来のスナップと同様の構成、作用である。
【００２９】
しかしながら、本実施形態１では、前記雌スナップ材６には、前記雄状突起４が挿入される挿入孔７が設けられ、前記挿入孔７に隣接して前記雄状突起４の移動方向Ｉの一端が開設された平面視横長であって前記係止部２の外径φ１より小径な幅Ｗ１をなすスライド係止孔５Ａが連設され、前記スライド係止孔５Ａの内縁ｎに沿って平面視Ｕ字状のクリップばね８が内装され、前記クリップばね８には、前記頸部３よりも小径な間隙Ｋを介して対向される係止突部９,９が前記スライド係止孔５Ａの内域に僅かに臨まれて突設されている（図２、図１１参照）。
【００３０】
前記雄スナップ材１における内面部材１０の一側の略中央には、前記雄状突起４が設けられ、かつ前記内面部材１０の他側には、取付板１１にピン体部１２を有する断面Ｔ状のかしめピン１３がかしめ固定可能に設けられ、前記雄スナップ材１の外面部材１４の裏面中央にはかしめ凹部１５が設けられ、そして、前記内面部材１０と前記外面部材１４とが、前記かしめピン１３を前記かしめ凹部１５内にかしめ固定することにより、一体的に取付けられている（図１、図４参照）。また、前記雄スナップ材１は、図示では平面視円形に形成されているが、これは代表的な例示であり、図には示さないが、平面矩形、または平面正方形に形成されることにより、デザイン的に薄形であり、変化のある仕上がりにしてもよい。
【００３１】
前記外面部材１４が、断面略薄形伏椀状に形成される。このように、外面部材１４が、断面略薄形伏椀状に形成されるので、デザイン的に薄形であり、変化のある仕上がりになる。
【００３２】
前記雌スナップ材６における内面部材１６には、図１、図２、図４に示すように、前記挿入孔７および前記スライド係止孔５Ａが設けられるとともに、その外周には外縁部１６Ａが設けられ、前記内面部材１６に基板材１７が嵌入可能に設けられ、前記基板材１７の内面には、前記クリップばね８を背面から押圧する面状のばね押さえ部１８が設けられ、前記基板材１７の外面にはリベットピン１９が突設され、前記内面部材１６の前記外縁部１６Ａが前記基板材１７にかしめられ、前記リベットピン１９と、リベット頭体２０とが、前記リベットピン１９の先端にかしめられることにより前記雌スナップ材６における外面部材２１と前記雌スナップ材６における前記内面部材１６とが結合されている。
【００３３】
このように、ダイカストにより形成された内面部材１６内にクリップばね８を収容し、内面部材１６に基板材１７を嵌入してその内面に設けられた板状のばね押さえ部１８によりクリップばね８を背面から押圧することによりガタツキが規制され、内面部材１６の外縁部１６Ａを基板材１７にかしめるとともにリベットピン１９と、リベットピン１９の先端にリベット頭体２０をかしめることにより外面部材２１と前記内面部材１６とは結合されるので、内面部材１６はダイカストにて形成され、また内面部材１６に設けられ、リベットピン１９が補強柱となることにより、雌スナップ材６は構造的な強度が確保され、しかも、構造簡単に製作が行え、生産効率が高く、製作および組付けを容易に行える。このようにして製作および組付けられた前記雌スナップ材６が、図２、および図１１に示すように、平面視矩形に形成されるので、デザイン的に薄形であり、変化のある仕上がりになる。ところで、図示では、雌スナップ材６は、平面視矩形に形成されているが、これに限ることなく、平面正方形に形成されるものであってもよい。また、前記内面部材１６が、断面略皿状に形成されるので、構造的な強度が確保され、製作および組付けが容易に行える。
【００３４】
前記クリップばね８は、鋼材または合成樹脂によりばね材により形成され、前述のように内面部材１６に基板材１７を嵌入してその内面に設けられたばね押さえ部１８の背面側からの押圧により容易かつ確実に内面部材１６内に組み付けられるとともに、図２、および図５に示されるように、クリップばね８は、内面部材１６の裏面に、スライド係止孔５Ａの他端内縁に沿って設けられた平面視半円状の内側位置規制壁部１６ａと、この内側位置規制壁部１６ａに対向して外側に設けられた短寸の外側位置規制壁部１６ｂとにより内外から挟持されることにより内面部材１６内への組付時に、前後方向、および左右方向の設置位置の位置決めが迅速かつ確実に精度が高く行われる。
【００３５】
本実施形態１は以上の構成からなるので、雄スナップ材１に設けられた雄状突起４を雌スナップ材６に設けられた係止孔５内に係止するのには、先ず雌スナップ材６に設けられた挿入孔７内に雄スナップ材１の雄状突起４における膨出された部分よりなる係止部２を挿入する。
【００３６】
次いで、この挿入孔７に隣接して雄状突起４の移動方向Ｉに一端が開設され、雄状突起４の前記係止部２の外径φ１より小径な幅Ｗ１をなしている平面視横長のスライド係止孔５Ａが設けられているので、雄状突起４の小径な頸部３をスライド係止孔５Ａの開設された一端から対向されている係止突部９,９をばね力に抗して押し広げることによりスライド係止孔５Ａ内を移動方向Ｉに摺動し、雄状突起４を係止孔５内に係止させる。
【００３７】
この際、雄状突起４の頚部３が、平面視Ｕ字状のクリップばね８の対向されている係止突部９,９間をばね力に抗して押し広げて通り過ぎると、クリップばね８の弾性復元性によりクリップばね８は閉じ、復帰される。そして、スライド係止孔５Ａの内縁ｎに沿って内装されたＵ字状のクリップばね８により雄状突起４の頚部３がスライド係止孔５Ａ内に弾性的に保持されるので、雄状突起４は雌スナップ材６のスライド係止孔５Ａにおいてクリップばね８の弾性保持により小径な頸部３が保持されるため、保持が確実になる。
【００３８】
こうして、雄状突起４は、スライド係止孔５Ａ内に係止される。従って、強い力が雄スナップ材１、または雌スナップ材６に働いた場合に、雄スナップ材１の膨出された部分よりなる係止部２を雌スナップ材６の挿入孔７内に挿入する挿入位置ａと、係止部２が雌スナップ材６の係止孔５内に係止される係止位置ｂとに設置位置を異にして雄状突起４は挿入位置ａから係止位置ｂへと移動されるという係止方向性を備えるため、雌スナップ材６のスライド係止孔５Ａに折角係合させた雄スナップ材１の雄状突起４の係止が不用意に外れ、抜け出ることはない。
【００３９】
そして、前記雄スナップ材１における内面部材１０の一側の略中央には前記雄状突起４が設けられ、かつ前記内面部材１０の他側には取付板１１にピン体部１２を有する断面Ｔ状のかしめピン１３がかしめ固定可能に設けられ、前記雄スナップ材１の外面部材１４の裏面中央にはかしめ凹部１５が設けられ、前記内面部材１０と前記外面部材１４とが、前記かしめピン１３を前記かしめ凹部１５内にかしめ固定することにより一体的に取付けられるので、内面部材１０と外面部材１４とはかしめ凹部１５内にかしめピン１３をかしめ固定することにより一体的に取付けられて補強されることにより、構造的な強度が発揮される。このように、構造的な強度が発揮されるので、出来上がったスナップはデザイン的にも薄形であり、変化のある仕上がりになる。
【００４０】
また、前記外面部材１４が、断面略薄形伏椀状に形成されるので、デザイン的に薄形であり、変化のある仕上がりになる。
【００４１】
前記雌スナップ材６における内面部材１６には、前記挿入孔７および前記スライド係止孔５Ａが設けられるとともに、外周には外縁部１６Ａが設けられ、前記内面部材１６に基板材１７が嵌入可能に設けられ、前記基板材１７の内面に前記クリップばね８を背面から押圧して保持するばね押さえ部１８が設けられ、前記基板材１７の外面にはリベットピン１９が突設されているので、前記内面部材１６の前記外縁部１６Ａを前記基板材１７にかしめるとともに前記リベットピン１９と、前記該リベットピン１９の先端にリベット頭体２０をかしめることにより前記雌スナップ材６における外面部材２１と前記内面部材１６とは結合され、雌スナップ材１は構造簡単であり、生産効率が高くなり、製作および組付けを容易に行える。しかも、内面部材１６は、ダイカストにより形成され、そして、内面部材１６に嵌入される基板材１７に設けたリベットピン１９,１９が補強材となるので、構造的な強度が確保される。
【００４２】
そして、この前記雌スナップ材６が平面視矩形に形成されるので、デザイン的に薄形であり、変化のある仕上がりになる。しかしながら、図示では、雌スナップ材６は、平面矩形に形成されているが、これに限ることなく、平面正方形に形成されるものであってもよい。また、前記内面部材１６が、断面略皿状に形成されるので、構造的な強度が確保され、製作および組付けが容易に行える。
【００４３】
この際、クリップばね８は、図２、および図５に示されるように、内面部材１６におけるスライド係止孔５Ａの他端内縁に沿って設けられた平面視半円状の内側位置規制壁部１６ａと、この内側位置規制壁部１６ａに対向して外側に設けられた短寸の外側位置規制壁部１６ｂとにより内外から挟持されることにより前後方向、および左右方向の設置位置の位置決めが容易かつ確実に行われるとともに、クリップばね８は、前述のように内面部材１６に基板材１７を嵌入してその内面に設けられたばね押さえ部１８により背面側から押付けられることにより容易かつ確実に内面部材１６内に組み付けられるので、製作および組み付けは容易に精度良く行える。
【００４４】
また、雄スナップ材１に設けられた雄状突起４を雌スナップ材６に設けられた係止孔５から脱係するのには、スライド係止孔５Ａに係止部２が係止されている雄状突起４を前述の係入操作とは逆方向にスライド係止孔５Ａ内を移動させることにより、係止突部９,９をばね性に抗して頚部３が通過されることにより押し広げ、その後挿入孔７まで戻し、脱係させればよい。
【００４５】
＜実施形態２＞
図１３に示すものは、本発明の実施形態２を示すものであり、この実施形態２では、前記クリップばね８には、複数対の前記係止突部９,９が長手方向に設置位置を違えて、例えば図１３では２対設けられている構成により、雄状突起４が雌スナップ材６の係止スライド孔５Ａ内に係止位置を変更して係脱可能になる構成である。
【００４６】
このように、クリップばね８に、複数対の前記係止突部９,９が長手方向に設置位置を違えて、図１３では２対設けられ、雄状突起４が雌スナップ材６の係止スライド孔５Ａ内に係止位置を変更して係脱可能になる構成を採用することにより、例えば本実施形態２のスナップをジャケット、コート等の衣服に用いたり、また、ベルト、靴等の身回品に装着した場合、またバッグに用いた場合には、収容する内容物の多少により、雄スナップ材１における雄状突起４の係止部２と、雌スナップ材６における係止孔５との係止時の締付力を前述のように、長手方向に設置位置を違えて複数対設けた係止突部９,９を押し広げて係止位置を変更することができるという実施形態１にはない優れた作用・効果を奏するほかは、前記実施形態１と同様の構成、作用・効果である。なお、図示では係止突部９,９が２対、図示されているが、これは例示であり、増減変更は自由に行える。
【００４７】
＜実施形態３＞
図１４に示すものは、本発明の実施形態３を示すものであり、この実施形態３では、前記スライド係止孔５Ａが、１個の前記挿入孔７に対し雄スナップ材１の移動方向Ｉが平面視直交されるように、縦横に２個設けられている。具体的には、前記雌スナップ材６が平面視十字形に形成される構成である。
【００４８】
そして、本実施形態３では、平面視直交されるように、平面視十字形の２方向に縦横に２個設けられたスライド係止孔５Ａのうち、何れかのスライド係止孔５Ａを選択してから、雄スナップ材１をスライド係止孔５Ａ内にスライドさせることにより雄状突起４が雌スナップ材６のスライド係止孔５Ａ内に係止位置を変更して係脱させ、前記実施形態１、および実施形態２のように、雄状突起４の挿入孔７に対する挿入位置ａと、雄状突起４のスライド係止孔５Ａへの係止位置ｂとが、前記実施形態１、および実施形態２のように、係止部２がスライド係止孔５Ａ内に１方向への係止方向性を有するのとは異なり、本実施形態３では、２方向に係止方向性を発揮する。従って、本実施形態２では、高齢者、幼齢者、手や指が不自由な障害者にとって雄状突起４のスライド係止孔５Ａに対する係脱操作が簡単かつ確実に行えるという優れた作用、効果であるほかは、前記実施形態１、および実施形態２と同様の構成、作用・効果である。なお、図１４では平面視直交されるように、縦横に２個のスライド係止孔５Ａを設けた場合について代表的に平面視十字形の２方向に縦横に２個のスライド係止孔５Ａを設けた場合が示されているが、これに限定すのものではなく、例えば平面視Ｌ字状の２方向に縦横に２個のスライド係止孔５Ａを設けた場合も本実施形態の適用範囲である。
【産業上の利用可能性】
【００４９】
本発明は、強い外力が雄スナップ材、または雌スナップ材に働いた場合に、雌スナップ材の係止孔に折角係合させた雄スナップ材の雄状突起の係止が一層外れないようになし、また、雄状突起の保持が確実になり、しかも、構造的な強度が確保され、さらには、構造簡単であり、生産効率を高くする用途・機能に適する。
【図面の簡単な説明】
【００５０】
【図１】図１は本発明の係止方向性を備えるスナップの実施形態１を示す長手方向の断面図である。
【図２】図２は同じく平面図である。
【図３】図３は同じく斜視図である。
【図４】図４は同じく図２のＡ−Ａ断面図である。
【図５】図５は同じく外面部材を取除いて裏面側から見た斜視図である。
【図６】図６は同じく雄スナップ材の内面部材を示す断面図である。
【図７】図７は同じく平面図である。
【図８】図８は同じく下面図である。
【図９】図９は同じく雄状突起の外面部材を示す下面図である。
【図１０】図１０は同じく断面図である。
【図１１】図１１は同じく雌スナップ材の内面部材を示す平面図である。
【図１２】図１２は同じく雌スナップ材の基板材を示す下面図である。
【図１３】図１３は同じく本発明の係止方向性を備えるスナップの実施形態２を示す平面図である。
【図１４】図１４は同じく本発明の係止方向性を備えるスナップの実施形態３を示す平面図である。
【符号の説明】
【００５１】
１    雄スナップ材
２    係止部
３    頸部
４    雄状突起
５    係止孔
５Ａ  スライド係止孔
６    雌スナップ材
７    挿入孔
８    クリップばね
９    係止突部
１０  内部部材
１１  取付板
１２  ピン体部
１３  かしめピン
１４  外面部材
１５  かしめ凹部
１６  内面部材
１７  基板材
１８  ばね押さえ部
１９  リベットピン
２０  リベット頭体
２１  外面部材
Ｋ    間隙
Ｗ１  幅
ｎ    内縁
【図１】
2010029440.tif 000003
【図２】
2010029440.tif 000004
【図３】
2010029440.tif 000005
【図４】
2010029440.tif 000006
【図５】
2010029440.tif 000007
【図６】
2010029440.tif 000008
【図７】
2010029440.tif 000009
【図８】
2010029440.tif 000010
【図９】
2010029440.tif 000011
【図１０】
2010029440.tif 000012
【図１１】
2010029440.tif 000013
【図１２】
2010029440.tif 000014
【図１３】
2010029440.tif 000015
【図１４】
2010029440.tif 000016